(57)【要約】【課題】立体物の作成を簡易で、高速、かつ低コスト化することが可能である。【解決手段】立体物作成装置１は、被写体の立体的特徴を測定する立体的特徴測定手段２と、立体的特徴の測定に基づき複数のモデルから被写体の立体的特徴に最も近いものを選ぶモデル選択手段３とを備える。【選択図】図１
2005110820.tif 000002
【特許請求の範囲】
【請求項１】
被写体の立体的特徴を測定する立体的特徴測定手段と、
前記立体的特徴の測定に基づき複数のモデルから被写体の立体的特徴に最も近いものを選ぶモデル選択手段とを備えることを特徴とする立体物作成装置。
【請求項２】
前記選択したモデルの形状を追加工する追加工手段を備えることを特徴とする請求項１に記載の立体物作成装置。
【請求項３】
前記選択したモデルに彩色を施す着色手段を備えることを特徴とする請求項１または請求項２に記載の立体物作成装置。
【請求項４】
前記彩色の仕上がりを作る前に予測して表示する表示手段を備えることを特徴とする請求項３に記載の立体物作成装置。
【請求項５】
前記着色手段は、彩色は被写体の輪郭以外の特徴を低減させることを特徴とする請求項３に記載の立体物作成装置。
【請求項６】
前記着色手段は、彩色は特定の特徴を強調させることを特徴とする請求項３に記載の立体物作成装置。
【請求項７】
前記着色手段は、表情を変化させてから彩色することを特徴とする請求項３に記載の立体物作成装置。
【請求項８】
前記追加工手段は、前記選択したモデルの形状が人物人形の場合、メガネを付ける処理の選択が可能であることを特徴とすることを特徴とする請求項２に記載の立体物作成装置。
【請求項９】
前記メガネを立体で表現するモードを備えることを特徴とする請求項８に記載の立体物作成装置。
【請求項１０】
前記追加工手段は、前記選択したモデルの形状が人物人形の場合、メガネを消去する処理の選択が可能であることを特徴とすることを特徴とする請求項２に記載の立体物作成装置。
【請求項１１】
前記メガネのレンズ部の色と他の肌色との色差が所定値以上の場合、メガネを消去するモードの選択を禁止することを特徴とする請求項１０に記載の立体物作成装置。
【発明の詳細な説明】
【技術分野】
【０００１】
この発明は、被写体の立体的特徴を測定して立体物を作成する立体物作成装置に関する。
【背景技術】
【０００２】
従来、人形等の立体物を作成する方法として、手作りであったり、装置を用いて作成するものがある。装置を用いて作成するものでは、ヘッド部とワークとの相対位置を変えながら、ヘッド部内に設けた押圧ピンを用いて、圧縮変形可能な材料からなるワークを押圧することによりワークを所定形状に加工し、また圧縮加工の前に、ヘッド部内に設けたインクジェットヘッドを用いてワーク上面に所定の画像を印刷することで、彩色された造形物を作成できるものがある（例えば特許文献１、２）。
【特許文献１】特開２００１−３４７６５６号公報
【特許文献２】特開２００２−２９２７４６号公報
【発明の開示】
【発明が解決しようとする課題】
【０００３】
このように、手作りで人形等の立体物を作成する方法では、作成に時間がかかった。また、装置を用いて作成するものでは、多大な装置を必要としていた。
【０００４】
この発明は、かかる点に鑑みてなされたもので、立体物の作成を簡易で、高速、かつ低コスト化することが可能な立体物作成装置を提供することを目的としている。
【課題を解決するための手段】
【０００５】
前記課題を解決し、かつ目的を達成するために、この発明は、以下のように構成した。
【０００６】
請求項１に記載の発明は、被写体の立体的特徴を測定する立体的特徴測定手段と、
前記立体的特徴の測定に基づき複数のモデルから被写体の立体的特徴に最も近いものを選ぶモデル選択手段とを備えることを特徴とする立体物作成装置である。
【０００７】
請求項２に記載の発明は、前記選択したモデルの形状を追加工する追加工手段を備えることを特徴とする請求項１に記載の立体物作成装置である。
【０００８】
請求項３に記載の発明は、前記選択したモデルに彩色を施す着色手段を備えることを特徴とする請求項１または請求項２に記載の立体物作成装置である。
【０００９】
請求項４に記載の発明は、前記彩色の仕上がりを作る前に予測して表示する表示手段を備えることを特徴とする請求項３に記載の立体物作成装置である。
【００１０】
請求項５に記載の発明は、前記着色手段は、彩色は被写体の輪郭以外の特徴を低減させることを特徴とする請求項３に記載の立体物作成装置である。
【００１１】
請求項６に記載の発明は、前記着色手段は、彩色は特定の特徴を強調させることを特徴とする請求項３に記載の立体物作成装置である。
【００１２】
請求項７に記載の発明は、前記着色手段は、表情を変化させてから彩色することを特徴とする請求項３に記載の立体物作成装置である。
【００１３】
請求項８に記載の発明は、前記追加工手段は、前記選択したモデルの形状が人物人形の場合、メガネを付ける処理の選択が可能であることを特徴とすることを特徴とする請求項２に記載の立体物作成装置である。
【００１４】
請求項９に記載の発明は、前記メガネを立体で表現するモードを備えることを特徴とする請求項８に記載の立体物作成装置である。
【００１５】
請求項１０に記載の発明は、前記追加工手段は、前記選択したモデルの形状が人物人形の場合、メガネを消去する処理の選択が可能であることを特徴とすることを特徴とする請求項２に記載の立体物作成装置である。
【００１６】
請求項１１に記載の発明は、前記メガネのレンズ部の色と他の肌色との色差が所定値以上の場合、メガネを消去するモードの選択を禁止することを特徴とする請求項１０に記載の立体物作成装置である。
【発明の効果】
【００１７】
前記構成により、この発明は、以下のような効果を有する。
【００１８】
請求項１に記載の発明では、被写体の立体的特徴を測定し、この立体的特徴の測定に基づき複数のモデルから被写体の立体的特徴に最も近いものを選び、立体物をある程度対応分けすることで、立体物の作成を簡易で、高速、かつ低コスト化することができる。
【００１９】
請求項２に記載の発明では、選択したモデルの形状を追加工することで、選択したモデルをより立体物に似せることができる。
【００２０】
請求項３に記載の発明では、選択したモデルに彩色を施すことで、被写体の立体的特徴に対応した高精度の立体物を作成することができる。
【００２１】
請求項４に記載の発明では、彩色の仕上がりを作る前に予測して表示することで、ユーザが仕上がりをチェックでき、例えばリアル過ぎないようにすることができる。
【００２２】
請求項５に記載の発明では、彩色は被写体の輪郭以外の特徴を低減させることで、例えば人形のあばた、シミなどは再現しないようにすることができる。
【００２３】
請求項６に記載の発明では、彩色は特定の特徴を強調させることで、例えば人形のえくぼや、赤い頬、赤い唇などを強調することができる。
【００２４】
請求項７に記載の発明では、表情を変化させてから彩色することで、被写体の立体的特徴に対応した高精度の立体物を作成することができる。
【００２５】
請求項８に記載の発明では、選択したモデルの形状が人物人形の場合、メガネを付ける処理の選択が可能であることで、人物の立体的特徴に対応した高精度の人物人形を作成することができる。
【００２６】
請求項９に記載の発明では、メガネを立体で表現するモードを備えることで、人物の立体的特徴に対応した高精度の人物人形を作成することができる。
【００２７】
請求項１０に記載の発明では、選択したモデルの形状が人物人形の場合、メガネを消去する処理の選択が可能であることで、人物の立体的特徴に対応した高精度の人物人形を作成することができる。
【００２８】
請求項１１に記載の発明では、メガネのレンズ部の色と他の肌色との色差が所定値以上の場合、メガネを消去するモードの選択を禁止することで、人物の立体的特徴に対応した高精度の人物人形を作成することができる。
【発明を実施するための最良の形態】
【００２９】
以下、この発明の立体物作成装置の実施の形態について説明するが、この発明は、この実施の形態に限定されない。また、この発明の実施の形態は、発明の最も好ましい形態を示すものであり、この発明の用語はこれに限定されない。
【００３０】
図１は立体物作成装置の概略構成図である。この実施の形態の立体物作成装置１は、立体的特徴測定手段２、モデル選択手段３、追加工手段４、着色手段５、表示手段６及び制御手段７を備える。立体的特徴測定手段２は、被写体の立体的特徴を測定し、この測定情報に基づき制御手段７は、モデル選択手段３、追加工手段４、着色手段５、表示手段６を制御する。
【００３１】
モデル選択手段３は、立体的特徴の測定に基づき複数のモデルから被写体の立体的特徴に最も近いものを選ぶ。追加工手段４は、選択したモデルの形状を追加工する。着色手段５は、選択したモデルに彩色を施す。表示手段６は、彩色の仕上がりを作る前に予測して表示する。
【００３２】
この実施の形態の立体的特徴測定手段２は、多カメラ方式、レーザー方式等の立体撮影技術を用いることができる。この多カメラ方式は、図２に示すように、人物１０の撮影を、メイン位置、Ａ位置、Ｂ位置、Ｃ位置、Ｄ位置、Ｅ位置、Ｆ位置、Ｇ位置のそれぞれのカメラ２０、２０ａ、２０ｂ、２０ｃ、２０ｄ、２０ｅ、２０ｆ、２０ｇによって撮影する。
【００３３】
カメラ２０は、人物の正面の特徴を得る。カメラ２０ａ、２０ｅは、人物の左右斜め前の例えば鼻の形状の特徴を得る。カメラ２０ｂ、２０ｄは、人物の左右横で例えば耳や鼻の形状の特徴を得る。カメラ２０ｄは、人物の背面の特徴を得る。カメラ２０ｆは、人物の例えばあごの特徴を得る。カメラ２０ｇは、人物の例えば頭の頂点からの形状を得る。
【００３４】
また、レーザー方式は、図３に示すように、測定装置３００の投光部３００ａからのレーザーを受光部３００ｂで受光し、測距・スキャンする。このレーザー方式では、影になるところの特徴を得ることができない。例えば、人物１０のあごの下が測れないために、測距・スキャンも、多方向からすることが望ましい。また、人物１０がペット（犬）１１を抱いているようなポーズからも、人物１０とペット（犬）１１の立体モデルが抽出できる。
【００３５】
このように、複数のカメラ、あるいは距離計とカメラとの組み合わせで、立体物を生成可能な撮影で立体的特徴測定する。立体物を作成する被写体は、人間でも、犬、猫でも良い。
【００３６】
この実施の形態のモデル選択手段３は、人の顔のパターンと人の髪型のパターンのモデルから立体的特徴の測定に基づき被写体の立体的特徴に最も近いものを選ぶ。人の顔のパターンと人の髪型のパターンのモデルの選択に限定されず、犬のパターン、猫のパターンから選択するようにしてもよい。
【００３７】
人の顔のパターンは、図４に示すように、顔のパーツが中心から離れた長い顔と丸い顔、顔のパーツが中心に寄りの丸い顔と長い顔に分類でき、この分類のモデルから選択される。この人の顔のパターンは、特開平１０−７５８２３号公報に図４に示すような４タイプに分類することが提唱されている。
【００３８】
また、人の髪型のパターンは、図５に示すように、髪がかるくて曲線と直線、髪が重くて直線と曲線に分類で、この分類のモデルから選択される。人の髪型のパターンは、特開平１１−５６４６９号公報に図４に示すような４タイプに分類することが提唱されている。
【００３９】
従って、人の顔のパターンが４タイプと、人の髪型のパターンが４タイプとで、１６タイプあれば、後は、インクジェットなどの彩色などで充分本人に似た顔が作れる。
【００４０】
分類のパラメーターは、各特許に記載された数値から、顧客の好みにあわせて適宜変更して良いものとする。
【００４１】
あまり忠実に顔を作成すると化粧を落とした顔であるように見られるので、単純化（イラスト化）した方がよい場合がある。また、どの程度のイラスト化かは選べた方がよい。
【００４２】
この立体的特徴の測定に基づき被写体の立体的特徴に最も近いものを選び、ポーズが違っていても修正する。例えば、人の首かしげ、犬の足の格好などは補正し、それに近いモデルを選ぶ。
【００４３】
この実施の形態のモデル選択手段３は、図６に示すように、予め準備されている人の顔モデル３０の１６タイプから選択する。地方の特性や流行などで、顔モデル数を減らしたり増やしたりの対応も可能である。
【００４４】
この実施の形態では、選択具３１によって選択された顔モデル３０を取り出し、この選択具３１を回転させて着色手段５によって顔モデル３０に彩色を施す。着色手段５として、インクジェットのヘッドを用いている。
【００４５】
このように、被写体の立体的特徴を測定し、この立体的特徴の測定に基づき複数のモデルから被写体の立体的特徴に最も近いものを選び、立体物をある程度対応分けすることで、立体物の作成を簡易で、高速、かつ低コスト化することができる。
【００４６】
また、この実施の形態の追加工手段４は、選択した顔モデル３０の形状を追加工し、より似せることができる。また、例えば、選択した顔モデル３０に喜怒哀楽の表情になるよう形状を追加工する。
【００４７】
また、着色手段５は、インクジェット、感熱、昇華などの手法を選ぶことができ、選択したモデルに彩色を施すことで、被写体の立体的特徴に対応した高精度の立体物を作成することができる。
【００４８】
また、彩色の仕上がりを作る前に予測して表示手段６に表示し、ユーザが仕上がりをチェックでき、例えばリアル過ぎないようにすることができる。
【００４９】
また、彩色は被写体の輪郭以外の特徴を低減させ、例えばファウンデーションモードによって人形のあばた、シミなどは再現しないようにすることができる。  また、彩色は特定の特徴を強調させることで、例えば化粧モードによって人形のえくぼや、赤い頬、赤い唇などを強調することができる。
【００５０】
また、表情を変化させてから彩色することで、被写体の立体的特徴に対応した高精度の立体物を作成することができる。
【００５１】
この実施の形態の立体物作成装置１で、金具付きの立体物を作成する実施の形態を図７及び図８に示す。
【００５２】
図７の実施の形態では、彩色を施した顔モデル３０を回転し、先端がネジのストラップ金具４０を顔モデル３０の頭部にねじ込み、顔モデル３０の回転に用いた部分３０ａをカッター４１で切り落として完成品とする。
【００５３】
図８の実施の形態では、顔モデル３０には取付孔３０ｂが形成されており、この取付孔３０ｂに選択具３１を係合させて回転し、この回転で着色手段５で彩色を施す。そして、顔モデル３０の取付孔３０ｂから選択具３１を抜き、この取付孔３０ｂにストラップ金具４２を圧入して完成品とする。顔モデル３０の取付孔３０ｂによって頭頂部に彩色を施すことを省略することができる。
【００５４】
次に、着色手段５による顔モデル３０に彩色を施す実施の形態を図９に示す。図９（ａ）に示す実施の形態では、着色手段５を複数備え、複数の方向から顔モデル３０の立体的特徴に対応して色彩を施し、高精度の立体物を作成することができる。
【００５５】
図９（ｂ）に示す実施の形態では、着色手段５を１個備え、一方向から顔モデル３０の立体的特徴に対応して色彩を施す。この実施の形態は、適するタイプのモデルが無い時、あるいはアゴ、頭頂用プリンタを省略したい時に用いる。
【００５６】
この実施の形態の立体物作成装置１では、顔モデル３０に限定されず、例えば犬モデル３３の金具付きの立体物を作成するようにしてもよく、この実施の形態を図１０に示す。
【００５７】
犬は流行があるが、人気上位１０〜１６種の犬モデル３３を用意すれば充分である。この選択された犬モデル３３を回転して同様に、着色手段５を構成するインクジェット、感熱、昇華などの手法により犬モデル３３に彩色を施し、ストラップ金具３４を取り付けて完成品とする。
【００５８】
また、着色手段５による犬モデル３３に彩色を施す実施の形態を図１１に示す。図１１に示す実施の形態では、着色手段５を複数備え、複数の方向から犬モデル３３の立体的特徴に対応して色彩を施し、高精度の立体物を作成することができる。この図１１に示す実施の形態では、顔、胴体用インクジェット５ａ、頭、背中用インクジェット５ｂ、脚用インクジェット５ｃを用い、図９（ａ）に示す実施の形態の人の頭頂用、あご用と同じ構成にて作成可能である。
【００５９】
このように彩色を施した犬モデル３３には、図１２に示すようなストラップ金具３５，３６を取り付けることができる。図１２（ａ）の実施の形態では、犬モデル３３の背中にストラップ金具３５をネジ込んで取り付け、図１２（ｂ）の実施の形態では、犬モデル３３の胴部にストラップ金具３６を圧入して取り付けて完成品とする。
【００６０】
また、立体物の作成は、図１３に示すように熱帯魚３７に応用でき、さらにハムスター、猫などにも応用できる。熱帯魚３７等の場合は、立体的特徴を測定する時に、魚の水槽は光を反射するので、ストロボを使わない撮影、あるいは反射しにくい専用のガラスを使った水槽を使うことが望ましい。
【００６１】
図１４乃至図１６は立体的特徴の測定に基づき複数のモデルから被写体の立体的特徴に最も近いものを選ぶ他の実施の形態を示す図である。
【００６２】
図１４の実施の形態では、何種類か型モデル５０を用意し、立体的特徴の測定に基づき複数のモデルから型モデル５０を選択する。可塑性シート５１に型モデル５０の形状にしたがい顔画像５２を展開したものをプリントし、切り取り線５３を設ける。型モデル５０に可塑性シート５１を圧着成形し、切り取り線５３に沿って切断することで、シェル状の完成品５４が成形できる。この実施の形態では、顔画像５２をプリントするのに特別なインクジェットヘッドはいらないし、インクジェット以外のプリント方法も利用できる。
【００６３】
図１５及び図１６の実施の形態では、可塑性シート５５に立体的特徴の測定に基づき複数のモデルから選択した顔画像５６を展開したものをプリントし、この可塑性シート５５を型モデル５７に圧着成形する。この型モデル５７には、ニードル５８が複数設けられ、各ニードル５８はアクチュエータで伸縮する。このアクチュエータは、油圧か水圧で各ニードル５８が伸縮させ、ニードル５８で特徴点を形成し、可塑性シート５５を圧着させることで顔モデルを形成する。そして、切り取って完成品５９とする。顔モデルの形はデータの形式で持つだけでよい、またユーザの３次元データで作成することができる。
【００６４】
また、図１５及び図１６の実施の形態の型モデルを複数のニードルで形成する方式では、図１７に示すような人とペットとを一体にした人形等の立体物６０を作成することができる。
【００６５】
この実施の形態の追加工手段４は、選択したモデルの形状が人物人形の場合、メガネを付ける処理の選択が可能であり、メガネを立体で表現するモードを備える。また、選択したモデルの形状が人物人形の場合、メガネを消去する処理の選択が可能である。さらに、メガネのレンズ部の色と他の肌色との色差が所定値以上の場合、メガネを消去するモードの選択を禁止する。
【００６６】
色差は、図２３（ｂ）で各色をＲ，Ｇ，Ｂで表現したときの、計算式ｌで表現できる。Ｒ，Ｇ，Ｂは、デジタル機器では通常０〜２５５までの値をとるが、例えばｌ≧６４の場合はメガネ消去モードの選択を禁止すれば良い。
【００６７】
このように、選択したモデルの形状が人物人形の場合、メガネを付ける処理の選択が可能であることで、人物の立体的特徴に対応した高精度の人物人形を作成することができる。
【００６８】
この実施の形態の追加工手段４による処理を図１８乃至図２５に示す。図１８は顔処理のユーザインターフェース画面を示す図である。顔処理のユーザインターフェース画面７０には、表情変化ボタン７０ａ、唇強調ボタン７０ｂ、スムーズ処理ボタン７０ｃ、メガネ処理ボタン７０ｄ、マンガボタン７０ｅ、リアルボタン７０ｆ、ＯＫボタン７０ｇ、顔処理表示部７０ｈ、マンガ処理表示部７０ｈ１、リアル処理表示部７０ｈ２、確認表示部７０ｈ３を有する。
【００６９】
被写体の撮影画像を顔処理表示部７０ｈに表示し、表情変化ボタン７０ａをクリックすると、図１９の表情変化モードの画面７１が開く。この表情変化モードインターフェースの画面７１には、撮影画像を処理した喜怒哀楽の画面７１ａ〜７１ｅが表示され、いずれかの画面を選択してＯＫボタン７１ｆをクリックすると、選択された喜怒哀楽の画面の撮影画像が顔処理表示部７０ｈに表示される。  また、被写体の撮影画像を顔処理表示部７０ｈに表示し、唇強調ボタン７０ｂをクリックすると、図２０の口唇強調の操作インターフェースの画面７２が開く。この口唇強調の操作インターフェースの画面７２には、強調表示部７２ａ、デフォルト表示部７２ｂ、弱め表示部７２ｃ、強調ボタン７２ｄ、デフォルトボタン７２ｅ、弱めボタン７２ｆが設けられている。強調表示部７２ａまたは弱め表示部７２ｃの画像を視ながら強調ボタン７２ｄまたは弱めボタン７２ｆをクリックして好みの状態にし、デフォルトボタン７２ｅのクリックでデフォルト表示部７２ｂの画像がデフォルトされ、選択された強調の画面のように処理された撮影画像が顔処理表示部７０ｈに表示される。強調ボタン７２ｄによる処理は、女性で口唇を強調したい人向けであり、弱めボタン７２ｆによる処理は、男性に向いている。
【００７０】
また、被写体の撮影画像を顔処理表示部７０ｈに表示し、スムーズ処理ボタン７０ｃをクリックすると、図２１のスムーズ処理の操作インターフェースの画面７３が開く。このスムーズ処理の操作インターフェースの画面７３には、画像表示部７３ａ、スムーズ処理表示部７３ｂ、デフォルト表示部７３ｃ、リアル表示部７３ｄ、スムーズボタン７３ｅ、デフォルトボタン７３ｆ、リアルボタン７３ｇが設けられている。スムーズボタン７３ｅの操作によりスムージングをかけ、シミ、アバタ、ソバカスなどを消し、のっぺりした顔になり、スムーズ処理表示部７３ｂに表示する。デフォルトボタン７３ｆの操作により少しスムージングした顔をデフォルトにし、デフォルト表示部７３ｃに表示する。また、リアルボタン７３ｇの操作によりシャープネス処理表示して顔のシミ、アバタなどを忠実にまたは強調して再現し、リアル表示部７３ｄに表示する。
【００７１】
また、被写体の撮影画像を顔処理表示部７０ｈに表示し、メガネ処理ボタン７０ｄをクリックすると、図２２のメガネ処理のインターフェースの画面７４が開く。このメガネ処理のインターフェースの画面７４には、メガネ付の処理ボタン７４ａ、メガネ消去の処理ボタン７４ｂ、ＯＫボタン７４ｃ、ＮＯボタン７４ｄが設けられている。
【００７２】
メガネ付の処理ボタン７４ａをクリックすると、図２３に示すように、メガネ７５のわくをそのまま型の表面に印字する。また、メガネ消去の処理ボタン７４ｂをクリックすると、図２４（ａ）に示すように、メガネを画像処理で消去する。このメガネを画像処理で消去する場合、図２４（ｂ）に示すように、メガネ７５は固定したパターンがあるので検出、消去は容易である。また、図２４（ｂ）に示すように、色付きレンズ、サングラス７６では異常な処理になる可能性があるので、色が違い過ぎると警告し、メガネ付の処理しか選べないようにする。
【００７３】
また、メガネ処理は、ニードル式の場合は、図２５に示すように、図２５（ａ）と、図２５（ｂ）と、図２５（ｃ）の３つから選べる。図２５（ａ）は、メガネ７７を立体化（中空にはできない）し、図２５（ｂ）はメガネ７７は立体化せず、そのまま印刷し、図２５（ｃ）はメガネ７７の消去を行なう。
【００７４】
また、メガネ消去処理の場合は、図２６に示すように、メガネ消去処理の画面８０を開き、近視ボタン８０ａをクリックすると目の大きさを大きくし、遠視ボタン８０ｂをクリックすると目の大きさを小さくし、処理無しボタン８０ｃをクリックすると目の大きさそのままする等の処理を行なう。この場合、モニタ画面で、処理を確認できるのが望ましい。
【００７５】
このように、表情変化ボタン７０ａ、唇強調ボタン７０ｂ、スムーズ処理ボタン７０ｃ、メガネ処理ボタン７０ｄの操作で表情変化、唇強調、メガネ処理、スムーズ処理を行なう。マンガボタン７０ｅの操作で目を大きくする処理を行ない、被写体の撮影画像をマンガにしてマンガ処理表示部７０ｈ１に表示する。リアルボタン７０ｆの操作で目の大きさの比率を実物に近づける処理を行ない、被写体の撮影画像をリアルにしてリアル処理表示部７０ｈ２に表示し、所定の画像が得られるとＯＫボタン７０ｇをクリックする。
【００７６】
このようにして、顔処理のユーザインターフェース画面７０には、顔処理表示部７０ｈに完成予測画が、図２７に示すように、彩色の仕上がりを作る前に予測して表示される。マンガボタン７０ｅの操作、リアルボタン７０ｆの操作は、３段階の処理となっているが、必要に応じて５段階の操作による処理でもよい。
【００７７】
次に、立体物作成装置の動作フローを図２８に示す。この実施の形態では、ユーザが撮影し（ステップａ１）、被写体の立体的特徴を測定し、３次元データを作成する（ステップａ２）。この３次元データの測定情報に基づき複数のモデルから被写体の立体的特徴に最も近いモデルを選ぶ（ステップａ３）。
【００７８】
そして、選択したモデルに彩色を施し（ステップａ４）、ストラップ金具等の取り付け（ステップａ５）、乾燥して製品として完成させる（ステップａ６）。  立体物作成装置の他の実施の形態の動作フローを図２９に示す。この実施の形態では、ユーザが撮影し（ステップｂ１）、被写体の立体的特徴を測定し、３次元データを作成する（ステップｂ２）。この３次元データの測定情報に基づき複数のモデルから被写体の立体的特徴に最も近いモデルを選び、その型に合わせた印刷データを作成し（ステップｂ３）、ニードル型を作成する（ステップｂ４）。
【００７９】
そして、可撓性シートに彩色を施し（ステップｂ５）、可撓性シートをニードル型に圧着し（ステップｂ６）、切り抜き製品として完成させる（ステップｂ７）。
【産業上の利用可能性】
【００８０】
この立体物作成装置は、人、ペット等の被写体の立体的特徴を測定し、彩色された立体物を作成する装置に適用できる。
【図面の簡単な説明】
【００８１】
【図１】立体物作成装置の概略構成図である。
【図２】多カメラ方式で立体物の撮影を示す図である。
【図３】レーザー方式で立体物の撮影を示す図である。
【図４】人の顔のパターンを示す図である。
【図５】人の髪型のパターンを示す図である。
【図６】予め準備されている人の顔モデルから選択する状態を示す図である。
【図７】金具付きの立体物を作成する実施の形態を示す図である。
【図８】金具付きの立体物を作成する実施の形態を示す図である。
【図９】顔モデルに彩色を施す実施の形態を示す図である。
【図１０】犬モデルの金具付きの立体物を作成する実施の形態を示す図である。
【図１１】犬モデルに彩色を施す実施の形態を示す図である。
【図１２】金具付きの立体物を作成する実施の形態を示す図である。
【図１３】立体物の作成を熱帯魚に応用できことを説明する図である。
【図１４】立体的特徴の測定に基づき複数のモデルから被写体の立体的特徴に最も近いものを選ぶ他の実施の形態を示す図である。
【図１５】型モデルを複数のニードルで形成する方式を示す図である。
【図１６】型モデルを複数のニードルで形成する方式を示す図である。
【図１７】人とペットとを一体にした人形等の立体物を作成する図である。
【図１８】顔処理のユーザインターフェース画面を示す図である。
【図１９】表情変化モードの画面を示す図である。
【図２０】口唇強調の操作インターフェースの画面を示す図である。
【図２１】スムーズ処理の操作インターフェースの画面を示す図である。
【図２２】メガネ処理のインターフェースの画面を示す図である。
【図２３】メガネのわくをそのまま型の表面に印字する図である。
【図２４】メガネ消去の処理を示す図である。
【図２５】メガネ処理をニードル式で行なう場合を示す図である。
【図２６】メガネ消去処理の画面を示す図である。
【図２７】彩色の仕上がりを作る前に予測して表示する図である。
【図２８】立体物作成装置の動作フローを示す図である。
【図２９】立体物作成装置の動作フローを示す図である。
【符号の説明】
【００８２】
１  立体物作成装置
２  立体的特徴測定手段
３  モデル選択手段
４  追加工手段
５  着色手段
６  表示手段
７  制御手段
【図１】
2005110820.tif 000003
【図２】
2005110820.tif 000004
【図３】
2005110820.tif 000005
【図４】
2005110820.tif 000006
【図５】
2005110820.tif 000007
【図６】
2005110820.tif 000008
【図７】
2005110820.tif 000009
【図８】
2005110820.tif 000010
【図９】
2005110820.tif 000011
【図１０】
2005110820.tif 000012
【図１１】
2005110820.tif 000013
【図１２】
2005110820.tif 000014
【図１３】
2005110820.tif 000015
【図１４】
2005110820.tif 000016
【図１５】
2005110820.tif 000017
【図１６】
2005110820.tif 000018
【図１７】
2005110820.tif 000019
【図１８】
2005110820.tif 000020
【図１９】
2005110820.tif 000021
【図２０】
2005110820.tif 000022
【図２１】
2005110820.tif 000023
【図２２】
2005110820.tif 000024
【図２３】
2005110820.tif 000025
【図２４】
2005110820.tif 000026
【図２５】
2005110820.tif 000027
【図２６】
2005110820.tif 000028
【図２７】
2005110820.tif 000029
【図２８】
2005110820.tif 000030
【図２９】
2005110820.tif 000031